(57)【要約】【課題】運動或いは運動靴に使用される中敷と靴下の組み合わせ装置の提供。【解決手段】外力を受けた後に形状を改変し、外力が消失した後に迅速に原状に回復する弾性鉤状物が表面の一部或いは全部に形成された中敷と、靴下本体と開口部を具え靴下本体にソールが設けられ、該ソールの底面全部或いは一部に毛状物が形成された靴下と、で組成され、該靴下の毛状物が前述の中敷の弾性鉤状物に係合し、靴下が緊密に中敷に固定されて靴下と中敷間の相対運動が防止された。【選択図】        図２
2004337529.tif 000002
【特許請求の範囲】
【請求項１】
中敷と靴下の組み合わせ装置において、
外力を受けた後に形状を改変し、外力が消失した後に迅速に原状に回復する弾性鉤状物が表面の一部或いは全部に形成された中敷と、
靴下本体と開口部を具え靴下本体にソールが設けられ、該ソールの底面全部或いは一部に毛状物が形成された靴下と、
で組成され、該靴下の毛状物が前述の中敷の弾性鉤状物に係合し、靴下が緊密に中敷に固定されて靴下と中敷間の相対運動を防止することを特徴とする、中敷と靴下の組み合わせ装置。
【請求項２】
請求項１記載の中敷と靴下の組み合わせ装置において、靴下の毛状物がコイル状の線体とされたことを特徴とする、中敷と靴下の組み合わせ装置。
【請求項３】
請求項１記載の中敷と靴下の組み合わせ装置において、靴下の毛状物が閉じた形状の線体とされたことを特徴とする、中敷と靴下の組み合わせ装置。
【請求項４】
請求項１記載の中敷と靴下の組み合わせ装置において、靴下の編成構造にあって、止滑線体が交差するよう変成されて靴下のソールの上面が形成されたことを特徴とする、中敷と靴下の組み合わせ装置。
【請求項５】
請求項１記載の中敷と靴下の組み合わせ装置において、中敷が少なくとも一つの本体と、少なくとも一つの鉤ベースを具え、該鉤ベースより複数の鉤状物が突出したことを特徴とする、中敷と靴下の組み合わせ装置。
【請求項６】
請求項５記載の中敷と靴下の組み合わせ装置において、鉤ベースと鉤状物がプラスチックで一体成形されたことを特徴とする、中敷と靴下の組み合わせ装置。
【請求項７】
請求項５記載の中敷と靴下の組み合わせ装置において、鉤ベースと鉤状物が編成技術により形成されたことを特徴とする、中敷と靴下の組み合わせ装置。
【請求項８】
請求項１記載の中敷と靴下の組み合わせ装置において、中敷が靴内に固定されて靴のミッドソールとされたことを特徴とする、中敷と靴下の組み合わせ装置。
【請求項９】
請求項１記載の中敷と靴下の組み合わせ装置において、毛状物が靴下のソールに含まれる長繊維により形成されたことを特徴とする、中敷と靴下の組み合わせ装置。
【請求項１０】
請求項１記載の中敷と靴下の組み合わせ装置において、口下のソールの上面の一部或いは全部に止滑ゴムが敷設されたことを特徴とする、中敷と靴下の組み合わせ装置。
【請求項１１】
請求項９記載の中敷と靴下の組み合わせ装置において、長繊維がポリエステル繊維、ナイロン、アクリル繊維、レーヨンの一つ或いはそのうちの数種類の混合物とされたことを特徴とする、中敷と靴下の組み合わせ装置。
【請求項１２】
中敷において、少なくともそのうちの一表面に弾性鉤状物が形成され、該鉤状物が外力を受けて任意に形状を改変でき、外力が消失した時に迅速に原状に回復し、対応する被係止物を係止並びに釈放することを特徴とする、中敷。
【請求項１３】
請求項１２記載の中敷において、対応する被係止物が靴下とされたことを特徴とする、中敷。
【請求項１４】
請求項１２記載の中敷において、中敷が少なくとも一つの本体と、少なくとも一つの鉤ベースを具え、該鉤ベースより複数の鉤状物が突出したことを特徴とする、中敷。
【請求項１５】
請求項１４記載の中敷において、鉤ベースと鉤状物がプラスチックで一体成形されたことを特徴とする、中敷。
【請求項１６】
請求項１４記載の中敷において、鉤ベースと鉤状物が編成により成形されたことを特徴とする、中敷。
【請求項１７】
請求項１２記載の中敷において、中敷が靴内に固定されて靴のミッドソールとされたことを特徴とする、中敷。
【請求項１８】
靴下において、靴下本体と開口を具え、該靴下本体がソールを具え、該ソールの底面に毛状物が形成され、該毛状物が鉤状物により係止されて中敷或いは靴のミッドソールに固定されることを特徴とする、靴下。
【請求項１９】
請求項１８記載の靴下において、毛状物がコイル状の線体とされたことを特徴とする、靴下。
【請求項２０】
請求項１８記載の靴下において、毛状物が閉じた形状の線体とされたことを特徴とする、靴下。
【請求項２１】
請求項１８記載の靴下において、靴下の編成構造が、止滑線体が交差するよう編成されてなる靴下の内表面を具えたことを特徴とする、靴下。
【請求項２２】
請求項１記載の中敷と靴下の組み合わせ装置において、保護カバーを具え、該保護カバーがカバー本体と開口を具え、且つ少なくとも該保護カバーの端部に増厚部分が設けられ、開口よりカバー本体が足の前部或いは爪先を被覆し、保護カバー端部の増厚部分が足指と靴前部の間に介在してクッションを形成し、爪先或いは足前部に対する保護を形成することを特徴とする、中敷と靴下の組み合わせ装置。
【請求項２３】
請求項２２記載の中敷と靴下の組み合わせ装置において、保護カバーがその底面の全部或いは一部に形成された毛状物を具えたことを特徴とする、中敷と靴下の組み合わせ装置。
【請求項２４】
請求項２３記載の中敷と靴下の組み合わせ装置において、保護カバーの毛状物がコイル状の線体とされたことを特徴とする、中敷と靴下の組み合わせ装置。
【請求項２５】
請求項２３記載の中敷と靴下の組み合わせ装置において、保護カバーの毛状物が閉じた形状の線体とされたことを特徴とする、中敷と靴下の組み合わせ装置。
【請求項２６】
請求項２３記載の中敷と靴下の組み合わせ装置において、保護カバーの毛状物が保護カバーの底の編成構造に含まれる長繊維により形成されたことを特徴とする、中敷と靴下の組み合わせ装置。
【請求項２７】
請求項２６記載の中敷と靴下の組み合わせ装置において、長繊維がポリエステル繊維、ナイロン、アクリル繊維、レーヨンの一つ或いはそのうちの数種類の混合物とされたことを特徴とする、中敷と靴下の組み合わせ装置。
【請求項２８】
請求項２２記載の中敷と靴下の組み合わせ装置において、保護カバーの編成構造が、止滑線体が交差するよう編成されてなる保護カバーの底の上面を具えたことを特徴とする、中敷と靴下の組み合わせ装置。
【請求項２９】
請求項２２記載の中敷と靴下の組み合わせ装置において、保護カバーの上面の一部或いは全部に止滑ゴムが敷設されたことを特徴とする、中敷と靴下の組み合わせ装置。
【請求項３０】
請求項１８記載の靴下において、靴下の毛状物が靴下のソールの底面に含まれる長繊維により形成されたことを特徴とする、靴下。
【請求項３１】
請求項３０記載の靴下において、長繊維がポリエステル繊維、ナイロン、アクリル繊維、レーヨンの一つ或いはそのうちの数種類の混合物とされたことを特徴とする、靴下。
【請求項３２】
請求項１８記載の靴下において、靴下のソールの上面の一部或いは全部に止滑ゴムが敷設されたことを特徴とする、靴下。
【発明の詳細な説明】
【０００１】
【発明の属する技術分野】
本発明は中敷と靴下の組み合わせ装置に係り、特に、運動或いは運動靴方面に使用される中敷と靴下の組み合わせ装置に関する。
【０００２】
【従来の技術】
一般に靴、特にバスケットシューズ、テニスシューズ、スケート靴、自転車靴等の運動靴は設計上、ある程度のゆとりを保留する必要があり、それによって着用者に快適な着用感を提供する。図１は周知の運動靴の着用時の断面図であり、そのうちＤは靴に保留されたゆとりを代表し、このゆとりＤは平常時には爪先部分に対して非常に快適感を提供する。しかし靴が足の移動する空間を有することになり、運動時には却って着用感が悪くなる欠点を有している。また靴下と中敷或いは靴のミッドソール間の摩擦力は有限であり、ゆえに運動時の爆発力の発生する衝撃力が瞬間的に爪先部分を靴の前部に衝突させ、ゆえにバスケットボールプレイヤー等のスポーツマンがこのために足の前部或いは爪先を痛めて取り返しの付かない傷害と損失を被ることがある。
【０００３】
【発明が解決しようとする課題】
本発明の主要な目的は一種の中敷と靴下の組み合わせ装置を提供することにある。それは、中敷と靴下の間に緊密な固定能力を提供することにより、運動時の衝撃力により靴下と中敷の間に相互運動が発生するのを防止し、前足部が靴の前部に衝突し並びに圧迫されないようにして、運動者の足を保護する機能を有するようにした装置であるものとする。
【０００４】
本発明の第２の目的は、一種の運動用靴下を提供することにあり、それは、靴下のソール底面に毛状物が形成され、靴のミッドソール或いは中敷表面に形成された鉤状物と係合するようにし、靴下を中敷或いは靴のミッドソールに固定できるようにし、靴下に良好な係止力を形成させるようにしたものとする。
【０００５】
本発明の第３の目的は、一種の運動用の中敷を提供することにあり、それは、中敷の上面に弾性鉤状物を形成して靴下を係止できるようにし、靴下に対する固定能力を増加したものとする。
【０００６】
【課題を解決するための手段】
請求項１の発明は、中敷と靴下の組み合わせ装置において、
外力を受けた後に形状を改変し、外力が消失した後に迅速に原状に回復する弾性鉤状物が表面の一部或いは全部に形成された中敷と、
靴下本体と開口部を具え靴下本体にソールが設けられ、該ソールの底面全部或いは一部に毛状物が形成された靴下と、
で組成され、該靴下の毛状物が前述の中敷の弾性鉤状物に係合し、靴下が緊密に中敷に固定されて靴下と中敷間の相対運動を防止することを特徴とする、中敷と靴下の組み合わせ装置としている。
請求項２の発明は、請求項１記載の中敷と靴下の組み合わせ装置において、靴下の毛状物がコイル状の線体とされたことを特徴とする、中敷と靴下の組み合わせ装置としている。
請求項３の発明は、請求項１記載の中敷と靴下の組み合わせ装置において、靴下の毛状物が閉じた形状の線体とされたことを特徴とする、中敷と靴下の組み合わせ装置としている。
請求項４の発明は、請求項１記載の中敷と靴下の組み合わせ装置において、靴下の編成構造にあって、止滑線体が交差するよう変成されて靴下のソールの上面が形成されたことを特徴とする、中敷と靴下の組み合わせ装置としている。
請求項５の発明は、請求項１記載の中敷と靴下の組み合わせ装置において、中敷が少なくとも一つの本体と、少なくとも一つの鉤ベースを具え、該鉤ベースより複数の鉤状物が突出したことを特徴とする、中敷と靴下の組み合わせ装置としている。
請求項６の発明は、請求項５記載の中敷と靴下の組み合わせ装置において、鉤ベースと鉤状物がプラスチックで一体成形されたことを特徴とする、中敷と靴下の組み合わせ装置としている。
請求項７の発明は、請求項５記載の中敷と靴下の組み合わせ装置において、鉤ベースと鉤状物が編成技術により形成されたことを特徴とする、中敷と靴下の組み合わせ装置としている。
請求項８の発明は、請求項１記載の中敷と靴下の組み合わせ装置において、中敷が靴内に固定されて靴のミッドソールとされたことを特徴とする、中敷と靴下の組み合わせ装置としている。
請求項９の発明は、請求項１記載の中敷と靴下の組み合わせ装置において、毛状物が靴下のソールに含まれる長繊維により形成されたことを特徴とする、中敷と靴下の組み合わせ装置としている。
請求項１０の発明は、請求項１記載の中敷と靴下の組み合わせ装置において、口下のソールの上面の一部或いは全部に止滑ゴムが敷設されたことを特徴とする、中敷と靴下の組み合わせ装置としている。
請求項１１の発明は、請求項９記載の中敷と靴下の組み合わせ装置において、長繊維がポリエステル繊維、ナイロン、アクリル繊維、レーヨンの一つ或いはそのうちの数種類の混合物とされたことを特徴とする、中敷と靴下の組み合わせ装置としている。
請求項１２の発明は、中敷において、少なくともそのうちの一表面に弾性鉤状物が形成され、該鉤状物が外力を受けて任意に形状を改変でき、外力が消失した時に迅速に原状に回復し、対応する被係止物を係止並びに釈放することを特徴とする、中敷としている。
請求項１３の発明は、請求項１２記載の中敷において、対応する被係止物が靴下とされたことを特徴とする、中敷としている。
請求項１４の発明は、請求項１２記載の中敷において、中敷が少なくとも一つの本体と、少なくとも一つの鉤ベースを具え、該鉤ベースより複数の鉤状物が突出したことを特徴とする、中敷としている。
請求項１５の発明は、請求項１４記載の中敷において、鉤ベースと鉤状物がプラスチックで一体成形されたことを特徴とする、中敷としている。
請求項１６の発明は、請求項１４記載の中敷において、鉤ベースと鉤状物が編成により成形されたことを特徴とする、中敷としている。
請求項１７の発明は、請求項１２記載の中敷において、中敷が靴内に固定されて靴のミッドソールとされたことを特徴とする、中敷としている。
請求項１８の発明は、靴下において、靴下本体と開口を具え、該靴下本体がソールを具え、該ソールの底面に毛状物が形成され、該毛状物が鉤状物により係止されて中敷或いは靴のミッドソールに固定されることを特徴とする、靴下としている。
請求項１９の発明は、請求項１８記載の靴下において、毛状物がコイル状の線体とされたことを特徴とする、靴下としている。
請求項２０の発明は、請求項１８記載の靴下において、毛状物が閉じた形状の線体とされたことを特徴とする、靴下としている。
請求項２１の発明は、請求項１８記載の靴下において、靴下の編成構造が、止滑線体が交差するよう編成されてなる靴下の内表面を具えたことを特徴とする、靴下としている。
請求項２２の発明は、請求項１記載の中敷と靴下の組み合わせ装置において、保護カバーを具え、該保護カバーがカバー本体と開口を具え、且つ少なくとも該保護カバーの端部に増厚部分が設けられ、開口よりカバー本体が足の前部或いは爪先を被覆し、保護カバー端部の増厚部分が足指と靴前部の間に介在してクッションを形成し、爪先或いは足前部に対する保護を形成することを特徴とする、中敷と靴下の組み合わせ装置としている。
請求項２３の発明は、請求項２２記載の中敷と靴下の組み合わせ装置において、保護カバーがその底面の全部或いは一部に形成された毛状物を具えたことを特徴とする、中敷と靴下の組み合わせ装置としている。
請求項２４の発明は、請求項２３記載の中敷と靴下の組み合わせ装置において、保護カバーの毛状物がコイル状の線体とされたことを特徴とする、中敷と靴下の組み合わせ装置としている。
請求項２５の発明は、請求項２３記載の中敷と靴下の組み合わせ装置において、保護カバーの毛状物が閉じた形状の線体とされたことを特徴とする、中敷と靴下の組み合わせ装置としている。
請求項２６の発明は、請求項２３記載の中敷と靴下の組み合わせ装置において、保護カバーの毛状物が保護カバーの底の編成構造に含まれる長繊維により形成されたことを特徴とする、中敷と靴下の組み合わせ装置としている。
請求項２７の発明は、請求項２６記載の中敷と靴下の組み合わせ装置において、長繊維がポリエステル繊維、ナイロン、アクリル繊維、レーヨンの一つ或いはそのうちの数種類の混合物とされたことを特徴とする、中敷と靴下の組み合わせ装置としている。
請求項２８の発明は、請求項２２記載の中敷と靴下の組み合わせ装置において、保護カバーの編成構造が、止滑線体が交差するよう編成されてなる保護カバーの底の上面を具えたことを特徴とする、中敷と靴下の組み合わせ装置としている。
請求項２９の発明は、請求項２２記載の中敷と靴下の組み合わせ装置において、保護カバーの上面の一部或いは全部に止滑ゴムが敷設されたことを特徴とする、中敷と靴下の組み合わせ装置としている。
請求項３０の発明は、請求項１８記載の靴下において、靴下の毛状物が靴下のソールの底面に含まれる長繊維により形成されたことを特徴とする、靴下としている。
請求項３１の発明は、請求項３０記載の靴下において、長繊維がポリエステル繊維、ナイロン、アクリル繊維、レーヨンの一つ或いはそのうちの数種類の混合物とされたことを特徴とする、靴下としている。
請求項３２の発明は、請求項１８記載の靴下において、靴下のソールの上面の一部或いは全部に止滑ゴムが敷設されたことを特徴とする、靴下としている。
【０００７】
【発明の実施の形態】
本発明は一種の中敷と靴下の組み合わせ装置を提供し、それは、外力を受けた後に形状を改変し、外力が消失した後に迅速に原状に回復する弾性鉤状物が表面の一部或いは全部に形成された中敷と、靴下本体と開口部を具え靴下本体にソールが設けられ、該ソールの底面全部或いは一部に毛状物が形成された靴下と、で組成され、該靴下の毛状物が前述の中敷の弾性鉤状物に係合し、靴下が緊密に中敷に固定されて靴下と中敷間の相対運動を防止する。
【０００８】
このほか、本発明は靴下と中敷が非常に密着し、ゆえに足部と靴の間が比較的接近し、足部が地面を離れる時に靴との間に空隙を発生させず、ゆえに着用時にフィット感があり、軽く機動性がある。
【０００９】
【実施例】
図２に示されるように、本発明の中敷と靴下の組み合わせ装置は、中敷１と靴下２で組成されている。
【００１０】
本発明の中敷１は、少なくともその一表面に弾性鉤状物１２が形成され、該鉤状物１２は外力を受ける時に変形可能とされ、外力が消失した後に、迅速に原状に回復する。
【００１１】
前述の中敷１の鉤状物１２は中敷の表面全部或いは適当な部分に敷設される。
【００１２】
このほか、本発明の中敷１はさらに本体１１及び少なくとも一つの鉤ベース１３を具え、該鉤ベース１３に前述の鉤状物１２が凸設されている。該本体１１は、快適な材質が選択されるか、或いは通気、殺菌等の機能訴求に適合するものとされ、例えば発泡材料で形成される。
【００１３】
さらに、本発明の鉤ベース１３と鉤状物１２は基本的にプラスチックで一体成形されるか（図４参照）、或いは編成技術を利用し鉤ベース１３と鉤状物１２が編成構造に形成される（図５参照）。
【００１４】
本発明の中敷１の別の実施例によると、中敷１が靴の内部に結合されてミッドソールとされ、靴の一部分とされる。
【００１５】
本発明の靴下２については、図２を参照されたい。それは靴下本体２１と開口２２を具え、該靴下本体２１はソール２１１を具え、該ソール２１１の底面全部或いは一部に毛状物２１２が形成される。
【００１６】
図６、７に示されるように、本発明の靴下２の毛状物２１２はコイル状の線体とされ、一般にコイル状の線体は起毛機を利用して起毛させることにより形成されるか、或いは編成法を利用して靴下本体２１と共に編成されて編成物の一部分とされる。
【００１７】
図８に示されるように、本発明の靴下２の毛状物２１２は閉じた状の線体とされうる。この閉じた状態の線体は靴下本体２１と編成法により形成されて編成物の一部分とされる。
【００１８】
このほか、本発明の毛状物の別の形成方法として、長繊維が靴下のソールの構造中に編み込まれ、並びに靴下のソール底面より突出するようにして形成される。前述の長繊維はポリエステル繊維、ナイロン繊維、アクリル繊維、レーヨンの一つ或いは数種類の混合物とされる。
【００１９】
図９は靴下２のソール２１１を上面２１３より見た編み物実施例図である。本発明中、靴下２の編成構造は止滑線体２１４が交差編成されて靴下２に形成した靴下２のソール２１１の上面２１３を少なくとも具え、これにより足裏と靴下間に良好な摩擦力を具備させ、良好な止滑効果を有する。
【００２０】
図１０は靴下２のソール２１１を上面２１３より見たもう一種類の実施例図であり、この実施例によると、靴下２のソール２１１の上面２１３の一部或いは全部に止滑ゴム２１５が設けられて、前述の実施例と同様に良好な止滑効果を獲得できる。
【００２１】
図３に示されるように、前述の靴下２の毛状物２１２は中敷１の鉤状物１２を係止でき、使用時に靴下２が緊密に中敷１に固定され、靴下２と中敷１間の相対運動を防止し、運動時に足部３の発生する強大な衝撃力が足の前部３１に集中する時、靴下２が中敷１を係止する能力により足部３が前部に衝突せず、足前部或いは爪先３１の損傷或いは不快感を減少或いは防止でき、並びに運動者の足部３及び足前部或いは爪先３１を保護し、十分に本発明の効果を発揮する。
【００２２】
図１１は本発明のもう一つの実施例図である。本発明は前述の実施例の中敷１、靴下２のほか、さらに保護カバー４を具え、図１２に示されるように、該保護カバー４はカバー本体４１及び開口４２を具え、且つ少なくともカバー本体４１の開口４２と反対の端部に増厚部分４３が設けられ、開口４２によりカバー本体４１が足の前部或いは爪先３１を被覆し、保護カバー４の端部の増厚部分４３が爪先３１と靴前部５１の間に介在するものとされ、端部の増厚部分４３がクッションを形成し、足前部或いは爪先３１に対する保護作用を形成する。
【００２３】
図１１、１２に示されるように、前述の保護カバー４はさらに毛状物４４が保護カバー４の底面４６の全部或いは一部に形成されている。該毛状物４４は基本的にコイル状の線体（図６、７に示される如し。）とされるか、或いは閉じた状態の線体（図８に示される如し。）とされるか、或いは保護カバー４の底部編成構造に含まれる長繊維により形成される。
【００２４】
前述の長繊維は、ポリエステル繊維、ナイロン、アクリル繊維、レーヨンの一つ或いは数種類が混合されたものとされる。
【００２５】
図１３に示されるように、このほか、前述の保護カバー４の編成構造は止滑線体４７が交差するよう編成されて形成された保護カバー４の底部の上面４５を少なくとも具え、良好な止滑効果を形成する。或いは、保護カバー４底の上面４５の一部或いは全部に止滑ゴム４８が敷設され、同様に止滑効果を達成する（図１４参照）。
【００２６】
【発明の効果】
以上から分かるように、本発明は有効に伝統的な靴下と中敷の間に発生する欠点と不便を解決すると共に、上述の多くの機能と実用価値を有し、これにより本発明は確実に高度の自然法則を利用した発明であり、且つその属する技術領域において同じ或いは類似の製品の公開使用は未だなく、ゆえに本発明は特許の要件に符合する。
【図面の簡単な説明】
【図１】周知の運動靴着用時の断面図である。
【図２】本発明の実施例の分解断面図である。
【図３】本発明の実施例の着用使用時の断面図である。
【図４】本発明の実施例中の第１種の鉤ベースと鉤状物の断面図である。
【図５】本発明の実施例中の第２種の鉤ベースと鉤状物の断面図である。
【図６】本発明の実施例中の第１種の靴下の毛状物の断面図である。
【図７】本発明の実施例中の第２種の靴下の毛状物の断面図である。
【図８】本発明の実施例中の第３種の靴下の毛状物の断面図である。
【図９】本発明の実施例中の靴下の足裏との接触面の靴下のソールの編成構造の上面表示図である。
【図１０】本発明の実施例中のもう一種の靴下の足裏との接触面の靴下のソールの編成構造の上面表示図である。
【図１１】本発明の第２実施例の組合せ断面図である。
【図１２】本発明の保護カバーの断面図である。
【図１３】本発明の保護カバーの底の上面表示図である。
【図１４】本発明の保護カバーの底の上面のもう一つの実施例表示図である。
【符号の説明】
１  中敷                ２  靴下
３  足部                １１  本体
１２  鉤状物            １３  鉤ベース
２１  靴下本体          ２２  開口
３１  足前部或いは爪先  ２１１  ソール
２１２  毛状物          ２１３  上面
２１４  止滑線体        ２１５  止滑ゴム
４  保護カバー          ５  靴
４１  カバー本体        ４２  開口
４３  増厚部分          ４４  毛状物
４５  上面              ４６  底面
４７  止滑線体          ４８  止滑ゴム
５１  靴前部
【図１】
2004337529.tif 000003
【図２】
2004337529.tif 000004
【図３】
2004337529.tif 000005
【図４】
2004337529.tif 000006
【図５】
2004337529.tif 000007
【図６】
2004337529.tif 000008
【図７】
2004337529.tif 000009
【図８】
2004337529.tif 000010
【図９】
2004337529.tif 000011
【図１０】
2004337529.tif 000012
【図１１】
2004337529.tif 000013
【図１２】
2004337529.tif 000014
【図１３】
2004337529.tif 000015
【図１４】
2004337529.tif 000016